【手続補正書】
【提出日】令和2年6月25日(2020.6.25)
【手続補正１】
【補正対象書類名】特許請求の範囲
【補正対象項目名】全文
【補正方法】変更
【補正の内容】
【特許請求の範囲】
【請求項１】
基板と、
互いに対向する第１および第２の側面と、当該第１および第２の側面とを接続する、互いに対向する第３および第４の側面とを有し、前記基板上に設けられた発光素子アレイと、
前記第１の側面側の前記基板上に設けられ、前記発光素子アレイを駆動する駆動素子と、
前記第２の側面側の前記基板上に設けられ、前記発光素子アレイから出射される光を受光する受光素子と、
前記第３および第４の側面側に設けられ、前記発光素子アレイの上面電極から前記発光素子アレイの外側に向けて延びる配線部材と、
前記第２の側面よりも前記駆動素子に近い側に設けられ、前記発光素子アレイに電流を供給するキャパシタと、
を備えた発光装置。
【請求項２】
前記キャパシタは、前記駆動素子を構成する端面のうち前記発光素子アレイから最も遠い端面の位置よりも、前記発光素子アレイに近い側に設けられている
請求項１に記載の発光装置。
【請求項３】
前記キャパシタを複数備え、
複数の前記キャパシタの各々は、前記発光素子アレイの中心と前記駆動素子の中心とを結ぶ直線に対し、前記第３の側面側と前記第４の側面側とに分かれて配置されている
請求項１または請求項２に記載の発光装置。
【請求項４】
前記第２の側面と前記受光素子との間には、前記発光素子アレイの上面電極から前記受光素子に向けて延びる配線部材が設けられていない
請求項１から請求項３のいずれか１項に記載の発光装置。
【請求項５】
前記第２の側面と前記受光素子との距離は、前記第１の側面と前記第２の側面との間の距離よりも短い
請求項１から請求項４のいずれか１項に記載の発光装置。
【請求項６】
前記第２の側面と前記受光素子との距離は、前記配線部材の長さに相当する長さよりも短い
請求項１から請求項５のいずれか１項に記載の発光装置。
【請求項７】
前記第１の側面と前記駆動素子との間には、前記発光素子アレイの上面電極から前記発光素子アレイの外側に向けて延びる配線部材が設けられていない
請求項１から請求項６のいずれか１項に記載の発光装置。
【請求項８】
前記発光素子アレイは複数の発光素子を有し、
前記発光素子アレイ内において前記複数の発光素子が配列されている領域の形状は、前記第３および第４の側面に沿った方向の長さよりも、前記第１および第２の側面に沿った長さの方が短い
請求項１から請求項７のいずれか１項に記載の発光装置。
【請求項９】
前記複数の発光素子は、互いに並列に接続された
請求項８に記載の発光装置。
【請求項１０】
前記発光素子アレイの光出射経路上に配置された、前記発光素子アレイから出射された光を外部に向けて拡散する光拡散部材をさらに備えた
請求項１から請求項８のいずれか１項に記載の発光装置。
【請求項１１】
前記光拡散部材は、平面視において前記受光素子と重なる位置に設けられている
請求項１０に記載の発光装置。
【請求項１２】
基板と、
互いに対向する第１および第２の側面と、当該第１および第２の側面とを接続する、互いに対向する第３および第４の側面とを有し、前記基板上に設けられた発光素子アレイと、
前記第１の側面側の前記基板上に設けられ、前記発光素子アレイを駆動する駆動素子と、
前記第２の側面側の前記基板上に設けられ、前記発光素子アレイから出射される光を受光する受光素子と、
前記第３および第４の側面側に設けられ、前記発光素子アレイの上面電極から前記発光素子アレイの外側に向けて延びる配線部材と、を備え、
前記第２の側面と前記受光素子との距離は、前記配線部材の長さに相当する長さよりも短い
発光装置。
【請求項１３】
請求項１から請求項１２のいずれか１項に記載の発光装置と、
前記発光装置が備える前記発光素子アレイから出射され被測定物で反射された反射光を受光する三次元センサと、を備え、
前記三次元センサは、前記発光素子アレイから光が出射されてから当該三次元センサで受光されるまでの時間に相当する信号を出力する光学装置。
【請求項１４】
請求項１３に記載の光学装置と、
前記光学装置が備える前記発光素子アレイから出射され被測定物で反射され、当該光学装置が備える三次元センサで受光された反射光に基づき、当該被測定物の三次元形状を特定する形状特定部と、
を備える情報処理装置。
【請求項１５】
前記形状特定部での特定結果に基づき、自装置の使用に関する認証処理を行う認証処理部を備える
請求項１４に記載の情報処理装置。
【手続補正２】
【補正対象書類名】明細書
【補正対象項目名】０００５
【補正方法】変更
【補正の内容】
【０００５】
第１態様に係る発光装置は、基板と、互いに対向する第１および第２の側面と、当該第１および第２の側面とを接続する、互いに対向する第３および第４の側面とを有し、前記基板上に設けられた発光素子アレイと、前記第１の側面側の前記基板上に設けられ、前記発光素子アレイを駆動する駆動素子と、前記第２の側面側の前記基板上に設けられ、前記発光素子アレイから出射される光を受光する受光素子と、前記第３および第４の側面側に設けられ、前記発光素子アレイの上面電極から前記発光素子アレイの外側に向けて延びる配線部材と、前記第２の側面よりも前記駆動素子に近い側に設けられ、前記発光素子アレイに電流を供給するキャパシタと、を備えたものである。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】変更
【補正の内容】
【０００７】
第２態様に係る発光装置は、第１態様に係る発光装置において、前記キャパシタは、前記駆動素子を構成する端面のうち前記発光素子アレイから最も遠い端面の位置よりも、前記発光素子アレイに近い側に設けられているものである。
【手続補正５】
【補正対象書類名】明細書
【補正対象項目名】０００８
【補正方法】変更
【補正の内容】
【０００８】
第３態様に係る発光装置は、第１態様または第２態様に係る発光装置において、前記キャパシタを複数備え、複数の前記キャパシタの各々は、前記発光素子アレイの中心と前記駆動素子の中心とを結ぶ直線に対し、前記第３の側面側と前記第４の側面側とに分かれて配置されているものである。
【手続補正６】
【補正対象書類名】明細書
【補正対象項目名】０００９
【補正方法】変更
【補正の内容】
【０００９】
第４態様に係る発光装置は、第１態様から第３態様のいずれかの態様に係る発光装置において、前記第２の側面と前記受光素子との間には、前記発光素子アレイの上面電極から前記受光素子に向けて延びる配線部材が設けられていないものである。
【手続補正７】
【補正対象書類名】明細書
【補正対象項目名】００１０
【補正方法】変更
【補正の内容】
【００１０】
第５態様に係る発光装置は、第１態様から第４態様のいずれかの態様に係る発光装置において、前記第２の側面と前記受光素子との距離は、前記第１の側面と前記第２の側面との間の距離よりも短いものである。
【手続補正８】
【補正対象書類名】明細書
【補正対象項目名】００１１
【補正方法】変更
【補正の内容】
【００１１】
第６態様に係る発光装置は、第１態様から第５態様のいずれかの態様に係る発光装置において、前記第２の側面と前記受光素子との距離は、前記配線部材の長さに相当する長さよりも短いものである。
【手続補正９】
【補正対象書類名】明細書
【補正対象項目名】００１２
【補正方法】変更
【補正の内容】
【００１２】
第７態様に係る発光装置は、第１態様から第６態様のいずれかの態様に係る発光装置において、前記第１の側面と前記駆動素子との間には、前記発光素子アレイの上面電極から前記発光素子アレイの外側に向けて延びる配線部材が設けられていないものである。
【手続補正１０】
【補正対象書類名】明細書
【補正対象項目名】００１３
【補正方法】変更
【補正の内容】
【００１３】
第８態様に係る発光装置は、第１態様から第７態様のいずれかの態様に係る発光装置において、前記発光素子アレイは複数の発光素子を有し、前記発光素子アレイ内において前記複数の発光素子が配列されている領域の形状は、前記第３および第４の側面に沿った方向の長さよりも、前記第１および第２の側面に沿った長さの方が短いものである。
【手続補正１１】
【補正対象書類名】明細書
【補正対象項目名】００１４
【補正方法】変更
【補正の内容】
【００１４】
第９態様に係る発光装置は、第８態様に係る発光装置において、前記複数の発光素子は、互いに並列に接続されたものである。
【手続補正１２】
【補正対象書類名】明細書
【補正対象項目名】００１５
【補正方法】変更
【補正の内容】
【００１５】
第１０態様に係る発光装置は、第１態様から第８態様のいずれかの態様に係る発光装置において、前記発光素子アレイの光出射経路上に配置された、前記発光素子アレイから出射された光を外部に向けて拡散する光拡散部材をさらに備えたものである。
【手続補正１３】
【補正対象書類名】明細書
【補正対象項目名】００１６
【補正方法】変更
【補正の内容】
【００１６】
第１１態様に係る発光装置は、第１０態様に係る発光装置において、前記光拡散部材は、平面視において前記受光素子と重なる位置に設けられているものである。
第１２態様に係る発光装置は、基板と、互いに対向する第１および第２の側面と、当該第１および第２の側面とを接続する、互いに対向する第３および第４の側面とを有し、前記基板上に設けられた発光素子アレイと、前記第１の側面側の前記基板上に設けられ、前記発光素子アレイを駆動する駆動素子と、前記第２の側面側の前記基板上に設けられ、前記発光素子アレイから出射される光を受光する受光素子と、前記第３および第４の側面側に設けられ、前記発光素子アレイの上面電極から前記発光素子アレイの外側に向けて延びる配線部材と、を備え、前記第２の側面と前記受光素子との距離は、前記配線部材の長さに相当する長さよりも短いものである。
【手続補正１４】
【補正対象書類名】明細書
【補正対象項目名】００２０
【補正方法】変更
【補正の内容】
【００２０】
第１、第１２、第１３、および第１４態様によれば、発光素子アレイを駆動する回路のインダクタンスの低減と、発光素子アレイと受光素子との近接配置とを両立しやすい構成の発光装置、および該発光装置を用いた光学装置および情報処理装置を提供することができる、という効果を奏する。
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】変更
【補正の内容】
【００２２】
第２態様によれば、キャパシタが、駆動回路を構成する端面のうち発光素子アレイから最も遠い端面よりも遠い側に設けられている場合と比較し、発光素子アレイを駆動する電流経路を短くしやすい、という効果を奏する。
【手続補正１７】
【補正対象書類名】明細書
【補正対象項目名】００２３
【補正方法】変更
【補正の内容】
【００２３】
第３態様によれば、一方の側面側にのみ配置されている構成と比較し、第３の側面側の配線部材を介する電流の経路長と、第４の側面側の配線部材を介する電流の経路長とを均等にしやすい、という効果を奏する。
【手続補正１８】
【補正対象書類名】明細書
【補正対象項目名】００２４
【補正方法】変更
【補正の内容】
【００２４】
第４態様によれば、第２の側面と受光素子との間に配線部材が設けられている場合と比較し、受光素子を発光素子アレイに近接して配置しやすい、という効果を奏する。
【手続補正１９】
【補正対象書類名】明細書
【補正対象項目名】００２５
【補正方法】変更
【補正の内容】
【００２５】
第５態様によれば、第１および第２の側面間の距離よりも長い場合と比較し、発光素子アレイの光出射経路に光拡散部材が設けられた場合に、受光素子の受光量が増加する、という効果を奏する。
【手続補正２０】
【補正対象書類名】明細書
【補正対象項目名】００２６
【補正方法】変更
【補正の内容】
【００２６】
第６態様によれば、配線部材の長さに相当する距離よりも長い場合と比較し、発光素子アレイの光出射経路に光拡散部材が設けられた場合に、受光素子の受光量が増加する、という効果を奏する。
【手続補正２１】
【補正対象書類名】明細書
【補正対象項目名】００２７
【補正方法】変更
【補正の内容】
【００２７】
第７態様によれば、第１の側面と駆動素子との問に配線部材が設けられている構成と比較し、発光素子アレイを駆動する電流経路を短くしやすい、という効果を奏する。
【手続補正２２】
【補正対象書類名】明細書
【補正対象項目名】００２８
【補正方法】変更
【補正の内容】
【００２８】
第８態様によれば、第１および第２の側面に沿った長さの方が長い場合と比較し、第２の側面側に配線部材を設けないことによるインダクタンスの増加が抑制される、という効果を奏する。
【手続補正２３】
【補正対象書類名】明細書
【補正対象項目名】００２９
【補正方法】変更
【補正の内容】
【００２９】
第９態様によれば、発光素子を個別に駆動する構成と比較し、強い強度の光が同時に照射される、という効果を奏する。
【手続補正２４】
【補正対象書類名】明細書
【補正対象項目名】００３０
【補正方法】変更
【補正の内容】
【００３０】
第１０態様によれば、光拡散部材がない構成と比較し、発光素子アレイから出射された光が広い範囲に照射される、という効果を奏する。
【手続補正２５】
【補正対象書類名】明細書
【補正対象項目名】００３１
【補正方法】変更
【補正の内容】
【００３１】
第１１態様によれば、受光素子と重なる位置に設けられていない場合と比較し、発光素子アレイから出射されて光拡散部材で反射した光に対する受光素子での受光量が増加する、という効果を奏する。